【事件の表示】
　特願２００４−３２７１４２号「空気調和機の室内機」拒絶査定不服審判事件〔平成１８年　６月　１日出願公開、特開２００６−１３８５１２号〕について、次のとおり審決する。
【結　論】
　本件審判の請求は、成り立たない。
【理　由】
１　手続の経緯・本願発明  
　本願は、平成１６年１１月１１日の出願であって、平成２０年４月２５日付けで拒絶査定がなされ（発送日：平成２０年５月７日）、これに対し、同年６月６日に拒絶査定不服審判が請求されるとともに同年６月２７日付けで手続補正がなされたものであって、請求項３に係る発明（以下、同項に係る発明を「本願発明」という。）は、平成２０年６月２７日付け手続補正書の特許請求の範囲の請求項３に記載された次の事項により特定されるとおりのものである。なお、請求項３は平成２０年６月２７日付け手続補正で補正されていない。
 
「【請求項３】
　冷媒回路の一部を構成する熱交換器（１０）と、
　前記冷媒回路において並列に配置され、冷媒の流れを制御する複数の制御弁（１６ａ，１６ｂ）と、
　少なくとも前記熱交換器（１０）の前方を覆うケーシング（６１）と、を備え、
　複数の前記制御弁（１６ａ，１６ｂ）は、前記ケーシング（６１）と前記熱交換器（１０）との間であって前記熱交換器（１０）の前方において前記熱交換器（１０）の長手方向に距離を隔てて配置される、空気調和機（１）の室内機（２）。」
　
２　引用例
　これに対して、原査定の拒絶の理由に引用された、本願の出願の日前である平成１３年８月１０日に頒布された特開２００１−２１５０４２号公報（以下「引用例」という。）には、図面と共に、次の事項が記載されている。　
（１）「空気調和機は、室内ユニットＡと、室外ユニットＢとから構成される。」（段落【００３１】）
　
（２）「室内ユニットＡを構成するユニット本体１は、その前面部と上面部に吸込み口２、３が設けられ、それぞれにグリル２ａ、３ａが嵌め込まれる。」（段落【００３２】）
　
（３）「ユニット本体１内には、後述するように構成される室内熱交換器５と、この室内熱交換器５の近傍に配置される送風ファン６が収容される。」（段落【００３３】）
　
（４）「室内熱交換器５は、前側熱交換器５Ａと後側熱交換器５Ｂとを逆Ｖ字状に組み合わせてなる。上記前側熱交換器５Ａは、さらに上下方向に所定間隔を存して複数の切り込みが設けられ、この切り込みに沿って同一の角度で、かつ内側に多段に折り曲げられる。上記後側熱交換器５Ｂは直状に形成されていて、前側熱交換器５Ａと比較して緩い角度で傾斜する。」（段落【００３４】）
　
（５）「前面吸込み口２に室内熱交換器５の前側熱交換器５Ａが対向し、上面吸込み口３に後側熱交換器５Ｂが対向して配置される。」（段落【００３５】）
　
（６）「前側熱交換器５Ａの上下方向の中央部を境に、下部側に設けられる第１導通路７と、上部側に設けられる第２導通路８とが備えられる。」（段落【００３７】）
　
（７）「一方、上記後側熱交換器５Ｂには独立した後側冷媒導通路（以下、第３導通路と称する）９が設けられる。」（段落【００３８】）
　
（８）「これら各冷媒導通路７ないし９のそれぞれ両端部には分岐管１０…が接続されており、一端側の各分岐管１０…は分岐ジョイント１１に接続され、他端側の分岐管１０…は合流口体１２に接続される。」（段落【００３９】）
　
（９）「分岐ジョイント１１に接続される各分岐管１０…の中途部には、それぞれ電磁二方弁からなる第１ないし第３の開閉弁１３ないし１５が設けられており、ここでは図示しない制御回路に電気的に接続され、開閉制御されるようになっている。」（段落【００４０】）
　
（１０）「室外ユニットＢ内には、圧縮機１６と、四方弁１７と、室外熱交換器１８および減圧装置である電動膨張弁１９が収容される。さらに、上記室外熱交換器１８の近傍位置に図示しない送風ファンが配置されている。」（段落【００４１】）
　
（１１）「四方弁１７から延出される冷媒管Ｐａが上記室内ユニットＡ側の合流口体１２に接続され、上記電動膨張弁１９から延出される冷媒管Ｐｂが上記分岐ジョイント１１に接続される。」（段落【００４２】）
　
（１２）「圧縮機１６から四方弁１７、室外熱交換器１８、電動膨張弁１９および室内熱交換器５が順次、冷媒管Ｐａ，Ｐｂを介して連通され、ヒートポンプ式の冷凍サイクルが構成される。」（段落【００４３】）
　
（１３）「室内熱交換器５とその前後位置においては、分岐ジョイント１１から複数の分岐管１０…、第１ないし第３導通路７ないし９、複数の分岐管１０…を経て合流口体１２に至る、ここでは３つ並列回路が形成される。」（段落【００４４】）
　
（１４）「少なくとも第１ないし第３の開閉弁１３ないし１５は、室内熱交換器５に対して熱交換空気の上流側に位置するよう配置しなければならない。」（段落【００８４】）
　
（１５）「具体的には、図４（Ａ）に示すように、ユニット本体１に設けられる上面吸込み口３と、室内熱交換器５を構成する後側熱交換器５Ｂとの間の空間スペースＳａは、後側熱交換器５Ｂに対する熱交換空気の上流側となる。」（段落【００８５】）
　
（１６）「空間スペースＳａに第１ないし第３の開閉弁１３ないし１５を配置し、かつ必要な配管接続をなす。なお余裕があれば、各分岐管１０…や分岐ユニット１１および合流口体１２まで配置しても支障がない。」（段落【００８６】）
　
（１７）「同様の理由から、同図（Ｂ）に示すように、各開閉弁１３ないし１５を前面吸込み口２上部と前側熱交換器５Ａ上部との間の空間スペースＳｂに配置してもよい。」（段落【００８９】）
　
　上記記載事項及び図示内容を総合し、本願発明の記載ぶりに則って整理すると、引用例には、次の発明（以下「引用発明」という。）が記載されている。
　
　「冷凍サイクルの一部を構成する室内熱交換器５と、
　前記冷凍サイクルにおいて並列に配置され、冷媒の流れを制御する複数の開閉弁１３〜１５と、
　前記室内熱交換器５の前方を覆うグリル２ａと、を備え、
　複数の前記開閉弁は、前記グリル２ａと前記室内熱交換器５との間であって前記室内熱交換器５の前方に配置される、空気調和機の室内ユニット。」
　
３　対比
　本願発明と引用発明とを対比する。
　引用発明の「冷凍サイクル」は本願発明の「冷媒回路」に相当し、同「室内熱交換器５」は同「熱交換器（１０）」に相当し、同「開閉弁１３〜１５」は同「制御弁（１６ａ，１６ｂ）」に相当する。また、引用発明の「グリル２ａ」は、ユニット本体１の一部に嵌め込まれてユニット本体１の一部をなすから、本願発明の「ケーシング（６１）」に相当する。そして、引用発明の「室内ユニット」は本願発明の「室内機（２）」に相当し、同「空気調和機」は同「空気調和機（１）」に相当する。
　
　したがって、両者は、
「冷媒回路の一部を構成する熱交換器と、
　前記冷媒回路において並列に配置され、冷媒の流れを制御する複数の制御弁と、
　少なくとも前記熱交換器の前方を覆うケーシングと、を備え、
　複数の前記制御弁は、前記ケーシングと前記熱交換器との間であって前記熱交換器の前方に配置される、空気調和機の室内機」
で一致し、次の点で相違している。
　
［相違点１］
　熱交換器の前方に配置される複数の制御弁が、
本願発明では、熱交換器の長手方向に距離を隔てて配置されるのに対し、
引用発明では、熱交換器の長手方向の配置が明らかでない点。
　
４　当審の判断
　上記［相違点１］について検討する。
　本願の出願前に、室内機内に逆Ｖ字形に配置された熱交換器を有する空気調和器の技術分野において、室内機を小型化するという課題の下、前面側の熱交換器の上部とケーシングの前面の上部との間のスペースが当該前面側の熱交換器に沿って長手方向に形成され、当該スペースを利用して、機器を長手方向に配置することは、周知の技術事項（例えば、特開平１０−６１９６１号公報の「補助熱交換器６ｄ」、特開平１０−７８２３５号公報の「電気集塵機Ｓ」、特開平９−１４６８４号公報の「電気清浄作用を有するフィルタ１６」参照。）である。
　
　そうしてみると、引用発明の「複数の制御弁」を熱交換器の前方に配置するにあたって、前記周知の技術事項を参酌して、熱交換器の長手方向に距離を隔てて配置することは、当業者が容易に想到し得ることである。
　
　また、本願発明の効果について検討するに、引用発明及び前記周知の技術事項によって得られる効果の総和に比して、格別なものとも認められない。
　
　よって、本願発明は、引用発明に基いて当業者が容易に発明をすることができたものである。
　
５　むすび
　以上のとおりであるから、本願発明は、引用発明に基づいて当業者が容易に発明をすることができたものであるので、特許法２９条第２項の規定により特許を受けることができない。
  
　したがって、本願は、他の請求項について検討するまでもなく、拒絶すべきものである。
　
　よって，結論のとおり審決する。